(57)【特許請求の範囲】
【請求項１】
夫々内面の長手方向にガイド１を有し、互いに端部どうしが長尺材２を介して直列に連結される細長い一対の装置本体３，３と、
夫々上面にジャッキ座部４が設けられ且つ前記ガイド１に案内されると共に、互いに長尺の連結材５で接続される一対の移動ブロック６，６と、
一方の前記本体３に支持体７を介して軸体８が前記長手方向に配置され、その軸線の回りに回転することにより前記ブロック６に対して軸方向に相対移動するように前記支持体７または前記ブロック６に前記軸体８が螺着されて、その軸体８の一端部がそのブロック６に接続され且つ、その軸体８の外周に回転駆動部９が設けられたブロック移動機構10と、
を具備するジャッキの水平送り装置。
【請求項２】
請求項１において、前記装置本体３の端部に前記長尺材２の接続用のフランジ部11が設けられ、棒状の前記連結材５の端部を着脱自在に螺着締結する接続部12が前記ブロック６の端部中心に設けられた水平送り装置。
【請求項３】
請求項１において、前記本体３の両側内面に一対の前記ガイド１が設けられて、それにより前記ブロック６の両側縁部の上面及び側面が案内される水平送り装置。
【請求項４】
請求項１において、一端部を回転可能に且つ軸方向に抜け止めすると共に他端側を仰臥自在とするように、前記軸体８の一端が前記ブロック６の端に接続され、
前記長手方向に互いに離間して前記本体３に複数の係止部13，13が設けられ、
前記軸体８の中間部に前記支持体７の中央が螺着され、その軸体８の前記仰臥動作によりその支持体７が前記係止部13に係脱自在に係合するように構成された水平送り装置。
【請求項５】
請求項１において、前記ブロック６の下面に滑動板14が固定された水平送り装置。
【請求項６】
内面の長手方向にガイド１を有し、端部に前記長尺材２の接合用のフランジ部11が設けられ、前記長手方向に互いに離間して複数の係止部13，13が設けられた装置本体３と、
上面にジャッキ座部４が設けられ且つ前記ガイド１に案内されると共に、棒状の連結材５の端部を着脱自在に螺着締結する接続部12が端部中心に設けられた細長い移動ブロック６と、
前記本体３に支持体７を介して軸体８が前記長手方向に配置され、その軸線の回りに回転することにより前記ブロック６に対して軸方向に相対移動するように前記支持体７の中央が前記軸体８の中間部に螺着されて、前記軸体８の一端部を回転可能に且つ軸方向に抜け止めすると共に他端側を仰臥自在とするように、その一端部が前記ブロック６の端に接続され、
その軸体８の外周に回転駆動部９が設けられたブロック移動機構10と、
を具備し、前記軸体８の前記仰臥動作により前記支持体７が前記係止部13に係脱自在に係合するように構成されたジャッキの水平送り装置。
【発明の詳細な説明】
【０００１】
【産業上の利用分野】
本発明は、各種プラント設備において重量の大きな機器を所定位置に設置する際、ジャッキで上下方向に昇降可能に設置すると共に、水平方向への移動を容易に行い得るジャッキの水平送り装置に関する。
【０００２】
【従来の技術】
従来の重量物の移動方法は、橋桁等を持ち上げさらに横送り位置を修正するものとして、万力型の横送りネジを有する本体にジャッキの台座ブロックを螺着させたものを使用していた。このようなジャッキ横送り台を使用して各種重量物を移動するには、その重量物の四隅部下面に四つのジャッキ横送り台を配置し、夫々のジャッキ横送り台に四人の作業員を配置し、夫々の作業員が声をかけ合いながら送りネジを同時に回すことにより、重量物を水平移動していた。
【０００３】
【発明が解決しようとする課題】
このような従来の送り装置は、重量物の四隅に配置された各装置の送り量を等しくする必要があり、それが行われない場合には他の送り装置にブレーキがかかった状態になり、安全性が問題になる場合が考えられる。
又、各ジャッキポイントに必ず人間を配置する必要があり、多くの人手を要していた。
さらには、移動量が長い場合には装置の段取り替えが必要であり、作業性が悪い欠点があった。
【０００４】
【課題を解決するための手段】
本発明のジャッキ水平送り装置は、夫々内面の長手方向にガイド１を有し、互いに端部どうしが長尺材２を介して直列に連結される細長い一対の装置本体３，３と、
夫々上面にジャッキ座部４が設けられ且つ前記ガイド１に案内されると共に、互いに長尺の連結材５で接続される一対の移動ブロック６，６と、
一方の前記本体３に支持体７を介して軸体８が前記長手方向に配置され、その軸線の回りに回転することにより前記ブロック６に対して軸方向に相対移動するように前記支持体７または前記ブロック６に前記軸体８が螺着されて、その軸体８の一端部がそのブロック６に接続され且つ、その軸体８の外周に回転駆動部９が設けられたブロック移動機構10と、
を具備するものである。
【０００５】
また本発明の他のジャッキの水平送り装置は、内面の長手方向にガイド１を有し、端部に前記長尺材２の接合用のフランジ部11が設けられ、前記長手方向に互いに離間して複数の係止部13，13が設けられた装置本体３と、
上面にジャッキ座部４が設けられ且つ前記ガイド１に案内されると共に、棒状の連結材５の端部を着脱自在に螺着締結する接続部12が端部中心に設けられた細長い移動ブロック６と、
前記本体３に支持体７を介して軸体８が前記長手方向に配置され、その軸線の回りに回転することにより前記ブロック６に対して軸方向に相対移動するように前記支持体７の中央が前記軸体８の中間部に螺着されて、前記軸体８の一端部を回転可能に且つ軸方向に抜け止めすると共に他端側を仰臥自在とするように、その一端部が前記ブロック６の端に接続され、
その軸体８の外周に回転駆動部９が設けられたブロック移動機構10と、
を具備し、前記軸体８の前記仰臥動作により前記支持体７が前記係止部13に係脱自在に係合するように構成されたものである。
【０００６】
【実施例】
次に、本発明の実施例につき説明する。
図１は本ジャッキ装置の平面図であり、図２はその正面図、図３は図１の要部拡大図、図４はその左側面図である。又、図５はその使用状態を示す平面図であり、図６は同正面図、図７は図５における連結材５の一部省略縦断面図である。
この実施例のジャッキの水平送り装置は、図１〜図４に示す如く細長い装置本体３と、それに案内される移動ブロック６と、先端が移動ブロック６に取り付けられ、支持体７を介して装置本体３の係止部13に係脱自在に係止されるブロック移動機構10と、を主要構成要件とする。
装置本体３は鋼材を側溝ブロック状に形成し、その両側壁内面に所定長さのガイド１を図１の如く長手方向に配列し、隣接するガイド１，１間に係止部13を形成する。この係止部13は、後述する支持体７の両縁部がそこに着脱自在に嵌入できる隙間とする。
【０００７】
ガイド１の下面側縁部は、図４に示す如く段付状に形成され、その段部下面及び側面が移動ブロック６の両縁部の案内面を構成する。なお、この実施例でガイド１は装置本体３の側部に孔を穿設し、その孔を介してガイド１の裏面側と装置本体３とが溶接されている。それと共に、ガイド１の上面縁部と装置本体３の上端部とが溶接されている。又、装置本体３の底面にはステンレス板からなる平滑板16がビス止め等の手段で固定されている。さらに装置本体３の長手方向両端部には、フランジ部11が溶接手段により突設固定されている。このフランジ部11にはボルト孔が穿設され、後述する長尺材２（図５）の端部が着脱自在に締結固定される。
【０００８】
次に、移動ブロック６（図３）はその上面中央にジャッキ座部４を有する。このジャッキ座部４は図２に示す如く、ジャッキ18の底面が載置されるものであり、僅かに上方に突出する環状の凸条がジャッキ18の外周を被嵌するように形成されている。移動ブロック６の両縁部は段付に形成され、その縁部が図４の如く装置本体３のガイド１に案内されている。移動ブロック６の下面側には、合成樹脂材等からなる滑動板14がビス止め等の手段により固定されている。
また移動ブロック６の右端にはブラケット17が、左端にはブラケット17ａが夫々突設され、ブラケット17には軸27の両端が支持されている。そして、その移動ブロック６の軸線に直交する方向に軸体８の先端が軸27に貫通し、スラストベアリング24を介してその軸体８先端にナット29が螺着され、割ピン28によりそれが回り止め固定されている。軸体８は外周に送りネジが形成され、その中間部に支持体７が螺着されている。支持体７は金属板をＬ字状に一体形成し、その立ち下がり面に穿設された孔の孔縁部にナットが溶接固定されている。そして、軸体８がその固定ナットに螺着されている。軸体８の後端部には、回転駆動部９の一端が一体的に溶接固定され、その回転駆動部９の他端には内ネジが開口する。
【０００９】
次に、移動ブロック６の他端に固定されたブラケット17ａは接続部12を構成し、その中央に孔を穿設すると共に、その孔の孔縁部にナットの縁部が溶接固定されている。この固定ナットには、後述する連結材５（図５，図７）の端部が着脱自在に螺着されるものである。
なお、装置本体３の側面には固定用フランジ15（図１），吊りフック25が突設固定されている。
次に、装置本体３の一端側両側に接続される長尺材２は、その断面が装置本体３と同様にコ字状に形成されている（図５）。そしてその両端部には、フランジ部11のボルト孔に整合するボルト孔が穿設され、両者はボルトにより締結固定されている。また、移動ブロック６の接続部12に着脱自在に螺着される連結材５は、図７に示す如く筒部19の一端にボルト20の頂面が溶接固定され、筒部19の他端が閉塞されその軸線上に孔21が穿設されている。そして、その孔21に小径軸23が貫通し、その小径軸23の一端がボルト20の頂面に突設固定されている。さらに、その小径軸23の端部にダブルナットからなるナット22が締結固定されている。そして図５に示す如く、一方のボルト20の先端が接続部12に螺着締結される。
【００１０】
【使用方法】
次に、本発明のジャッキの水平送り装置の使用方法の一例につき説明する。
この実施例では、図５及び図６に示す如く一対の水平送り装置を互いに離間して配置し、長尺材２により両者を接続する。長尺材２の長さは、図６における被設置用機器30の長さに応じて適宜選択又は製作される。長尺材２と一対の装置本体３との間は、ボルトにより着脱自在に締結固定される。
次に、図５において左側に位置される装置本体３の軸体８は前記した支持体７を取り外しておく。そして軸体８の回転駆動部９端面の孔に、連結材５の左端のボルト20の先端を螺着し、ナット29により締結保持させる。それと共に、連結材５の右端のボルト20の先端を右側の装置本体３の接続部12に螺着締結する。そして図５に示すような構造に組み立てた二本の水平送り装置を並列配置し、夫々の移動ブロック６のジャッキ座部４上にジャッキ18の下面を載置する。
【００１１】
そしてジャッキ18上に被設置用機器30を載置し、そのジャッキ18により昇降作業を行う。それと共に、右側の軸体８を装置本体３に並行に倒伏させた状態で支持体７を装置本体３の適宜位置の係止部13に係止させる。そして、右端側軸体８の回転駆動部９をラチェット工具や電動回転機等により回転させ、上下一対の移動ブロック６を同時に図において右方にのみ移動する。そして、さらに被設置用機器30を右方に移動する必要がある場合には、図６の如く軸体８を上方に起立させ、支持体７を回転させてそれを回転駆動部９側に移動させる。次いで軸体８を倒伏させ、その支持体７を装置本体３の前の係止位置より右の係止部13に係止させ、再び軸体８を回転させることにより、さらに移動ブロック６を右方に移動させ得る。
なお、図５及び図６の如く組み立てられた送り装置を一対使用する場合には、可能な限り一対の軸体８の回転速度を一致させる。
【００１２】
【発明の作用・効果】
長尺材２を介して直列に連結された一対の装置本体３，３に、夫々移動ブロック６、６が案内されると共に両者が連結材５で接続される。そして夫々の移動ブロック６，６のジャッキ座部４にジャッキが配置され、そのジャッキによって重量物が支持される。そして、一方の移動ブロック６をブロック移動機構10で水平移動することにより、重量物を円滑に移動することができる。
本構造は、長尺材２及び連結材５の長さを適宜選択することにより、各種大きさの重量物を水平送りすることができる普遍性の高い装置となる。
しかも長尺材等との間が分離可能であるため、設置場所への搬送や装置の設置が容易であり且つ構造が単純で故障のない装置を提供できる。
又、装置本体３に複数の係止部13，13が設けられ、軸体８の一端部が俯仰自在に設けられたものにおいては、その軸体８の中間部に螺着された支持体７を適宜位置の係止部13に順次着脱自在に係止することにより、本装置の水平送り長さを長くすることができる。即ち、軸体８の長さ以上に移動ブロック６を水平移動させ、その移動ブロック６にジャッキを介して載置される重量物の移動距離を長くすることが可能となる。
【図面の簡単な説明】
【図１】本ジャッキ装置の平面図。
【図２】同正面図。
【図３】図１の要部拡大図。
【図４】同左側面図。
【図５】本ジャッキ装置の使用状態を示す平面図。
【図６】同正面図。
【図７】図５における連結材５の一部省略縦断面図。
【符号の説明】
１  ガイド
２  長尺材
３  装置本体
４  ジャッキ座部
５  連結材
６  移動ブロック
７  支持体
８  軸体
９  回転駆動部
10  ブロック移動機構
11  フランジ部
12  接続部
13  係止部
14  滑動板
15  固定用フランジ
16  平滑板
17，17ａ  ブラケット
18  ジャッキ
19  筒部
20  ボルト
21  孔
22  ナット
23  小径軸
24  スラストベアリング
25  吊りフック
27  軸
28  割ピン
29  ナット
30  被設置用機器
【図１】
0003635414.tif 000002
【図２】
0003635414.tif 000003
【図３】
0003635414.tif 000004
【図４】
0003635414.tif 000005
【図５】
0003635414.tif 000006
【図６】
0003635414.tif 000007
【図７】
0003635414.tif 000008